(57)【特許請求の範囲】
【請求項１】
用紙をピックアップするピックアップ部材と、ピックアップされた用紙を搬送する用紙搬送機構部と、搬送された用紙に接触しトナー画像を転写する転写部材と、転写部材に転写電圧を印加する転写電圧印加部とを備えた画像形成装置において、
前記ピックアップ部材に用紙に接触する一対の導電接触部を間隔を置いて設け、この導電接触部に接続されて用紙の抵抗値を検出する用紙抵抗値検出部と、検出された用紙抵抗値に基づき、前記転写電圧印加部で印加する転写電圧を制御する制御部とを備え、前記用紙抵抗値検出部は、ピックアップ部材が用紙をピックアップするときに、用紙に接触する一対の導電接触部間に流れる電流値から用紙の抵抗値を検出することを特徴とする画像形成装置。
【請求項２】
前記転写部材自体の抵抗を検知する転写部材抵抗検知部を設け、前記制御部は、転写部材抵抗検知部により検知された転写部材の抵抗を表す電気的物理量と前記用紙抵抗値とに基づいて、転写電圧を決定することを特徴とする請求項１記載の画像形成装置。
【請求項３】
前記ピックアップ部材は、一対のピックアップローラであり、各ピックアップローラの外周面を前記導電接触部としての導電性ゴムで被覆してなり、前記用紙抵抗値検出部は、両ピックアップローラ間に電圧を印加して流れる電流に基づき用紙の抵抗値を検知することを特徴とする請求項１又は請求項２記載の画像形成装置。
【発明の詳細な説明】
【０００１】
【発明の属する技術分野】
この発明は、用紙のサイズにかかわらず用紙の抵抗値に最適な転写電圧を印加することのできる画像形成装置に関する。
【０００２】
【従来の技術】
接触転写方式の画像形成装置は一般に、用紙をピックアップするピックアップ部材（ピックアップローラ）と、ピックアップされた用紙を搬送する用紙搬送機構部と、搬送された用紙に接触しトナー画像を転写する転写部材（転写ローラ）と、転写ローラに転写電圧を印加する転写電圧印加部とを備える。
【０００３】
このような装置では、転写ローラの抵抗値もさることながら、用紙の抵抗値によって用紙に対するトナー画像の転写効率が変動する。そこで、一対のローラ間にニップされた用紙の抵抗値を、その一対のローラに電圧を印加することにより検出し、検出した用紙の抵抗値に基づいて転写バイアスを調整する画像形成装置が既に提案されている（特開平１０−６３０４９号公報）。
【０００４】
【発明が解決しようとする課題】
ところで、搬送される用紙のサイズはＡ３，Ｂ４，Ａ４，Ｂ５等様々なので、前記一対のローラは最大の用紙の幅に対応させた軸方向の長さ（最大用紙の幅より大きい寸法）を有している。このため、実際には、その一対のローラの長さよりも短い幅の用紙が一対のローラ間を通過するので、一対のローラが用紙をニップする部分以外に、ローラ同士が直接接触している部分があり、用紙自体の抵抗値を直接求めるには問題があった。
【０００５】
この発明は、そのような問題点に着目してなされたものであって、用紙自体の抵抗値を正確に求めてその抵抗値に応じて転写電圧を制御できる画像形成装置を提供することを目的としている。
【０００６】
【課題を解決するための手段】
前記目的を達成するために、この発明の請求項１記載の画像形成装置は、用紙をピックアップするピックアップ部材と、ピックアップされた用紙を搬送する用紙搬送機構部と、搬送された用紙に接触しトナー画像を転写する転写部材と、転写部材に転写電圧を印加する転写電圧印加部とを備えたものにおいて、前記ピックアップ部材に用紙に接触する一対の導電接触部を間隔を置いて設け、この導電接触部に接続されて用紙の抵抗値を検出する用紙抵抗値検出部と、検出された用紙抵抗値に基づき、前記転写電圧印加部で印加する転写電圧を制御する制御部とを備え、前記用紙抵抗値検出部は、ピックアップ部材が用紙をピックアップするときに、用紙に接触する一対の導電接触部間に流れる電流値から用紙の抵抗値を検出することを特徴とする。
【０００７】
この装置では、ピックアップ部材が用紙をピックアップするときに、ピックアップ部材に間隔を置いて設けた一対の導電接触部が用紙に接触する。導電接触部には用紙抵抗値検出部が接続されているので、一対の導電接触部間に流れる電流値から用紙の抵抗値が用紙抵抗値検出部により検出され、検出された用紙抵抗値に応じて転写電圧が制御される。従って、用紙自体の抵抗値を測定でき、転写電圧を正確に調整できる。
【０００８】
この構成に加えて、転写部材自体の抵抗を検知する転写部材抵抗検知部を設け、制御部が、転写部材抵抗検知部により検知された転写部材の抵抗を表す電気的物理量と用紙抵抗値とに基づいて、転写電圧を決定することとすれば、転写部材の抵抗値の変化も加味して転写電圧を設定できるので、転写効率を更に高めることができる。
【０００９】
なお、転写部材の抵抗を表す電気的物理量は、転写部材に試験電圧を印加したときの電流値、又は試験電流を印加したときの電圧値である。
【００１０】
また、ピックアップ部材が一対のピックアップローラである場合には、各ピックアップローラの外周面を導電接触部としての導電性ゴムで被覆し、用紙抵抗値検出部が、両ピックアップローラ間に電圧を印加して流れる電流に基づき用紙の抵抗値を検知することとすれば、ピックアップローラが用紙をピックアップするときに、導電性ゴムが必ず用紙のみに接触した状態で用紙の面積抵抗値が測定されるので、より正確に用紙の抵抗値を測定することができる。
【００１１】
【発明の実施の形態】
以下、実施の形態により、この発明を更に詳細に説明する。
【００１２】
その実施形態に係る画像形成装置の全体の概略構成ブロック図を図１（一部分）と図２及び図３（残部分）に示す。この画像形成装置は、ファクシミリ機能とコピー機能とを備えたいわゆる複合機として構成したもので、ＭＰＵ（制御部）１、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ（ＤＲＡＭ）６、ＣＯＤＥＣ（符号化・復号器：Ｃｏｄｅｒ  ａｎｄ    Ｄｅｃｏｄｅｒ  ）７、操作部８、スキャナ９、パーソナルコンピュータ１１が接続されたプリンタＩ／Ｆ（インタフェイス）１０を備える。
【００１３】
ＭＰＵ１は、この装置を構成する各部を制御する。ＮＣＵ２は、電話回線網（ＰＳＴＮ）との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１４】
ＲＯＭ４は、この装置を制御するためのプログラムを記憶する。ＲＡＭ５は、データ等を一時的に記憶する。画像メモリ６は、受信画像データやスキャナ９で読み取った画像データを一時的に記憶する。ＣＯＤＥＣ７は、読み取った画像データを送信するためにＭＨ、ＭＲ、ＭＭＲ方式等により符号化（エンコード）し、受信画像データを復号（デコード）する。操作部８は、ユーザがＦＡＸ送信・受信、プリント等の指示をするためのものである。スキャナ９は、ＦＡＸ送信するときに原稿の画像データを読み取る。
【００１５】
この装置におけるプリンタは、プリンタ各部を制御するプリンタコントローラ（制御部）１２を備える。このプリンタコントローラ１２は、転写ローラ（転写部材）２１に試験電圧を印加したときの電流値と下記の用紙の抵抗値と転写電圧とをテーブルとして保有する転写バイアス決定テーブル１２ａを有し、転写バイアス決定テーブル１２ａを参照して転写ローラ２１に印加する電圧を決定する機能を備える。
【００１６】
プリンタ内部には、感光体として外周面に光導電膜を有する感光ドラム１３が配置され、感光ドラム１３は、駆動源（メインモータ４１）により回転される。この感光ドラム１３の周囲には、ブラシローラ式の帯電部材として帯電ブラシ１４が配置され、この帯電ブラシ１４には帯電バイアス印加回路１５により所定のバイアス電圧が印加される。バイアス電圧が印加された帯電ブラシ１４は、回転しながら感光ドラム１３の外周面を一様に帯電させる。
【００１７】
感光ドラム１３の周囲に配置された露光部としてのＬＥＤプリントヘッド１６は、多数のＬＥＤを並設してなり、入力された画像情報に基づき感光ドラム１３の外周面に光を照射し、外周面に画像情報に対応する静電潜像を形成する。
【００１８】
更に、感光ドラム１３の周囲に配置された現像部は、供給ローラ１７、現像ローラ１８、ブレード１９及び現像器バイアス印加回路２０等により構成される。供給ローラ１７は、トナーを入れたトナーケース（図示せず）からトナーを帯電させつつ現像ローラ１８に供給するもので、この供給ローラ１７には現像器バイアス印加回路２０により所定のバイアス電圧が印加される。この供給ローラ１７と感光ドラム１３に接触して配置された現像ローラ１８には、現像器バイアス印加回路２０により所定のバイアス電圧が印加される。
【００１９】
ブレード１９は、現像ローラ１８の外周面に弾性的に接触し、現像ローラ１８の外周面に付着したトナーの層厚を均一にするもので、このブレード１９には現像器バイアス印加回路２０により所定のバイアス電圧が印加される。
【００２０】
更に感光ドラム１３の周囲に配置された転写部材としての転写ローラ２１は、用紙搬送路Ｐを挟んで感光ドラム１３の外周面と接触するように配置され、駆動源（メインモータ４１）により回転される。この転写ローラ２１には転写バイアス印加回路（転写電圧印加部）２２により所定のバイアス電圧が印加される。ここでは、転写部材抵抗検知部としての電流検出部３５が転写ローラ２１に接続され、電流検出部３５により転写ローラ２１に流れる電流が検出され、検出された電流値はプリンタコントローラ１２に保持される。プリンタコントローラ１２は、プリント時に、その電流値と後記紙抵抗値検出回路４３で検出された用紙抵抗値に対応する転写電圧を転写バイアス決定テーブル１２ａより得、転写バイアス印加回路２２はそのバイアス電圧を転写ローラ２１に印加する。
【００２１】
用紙搬送路Ｐの用紙送り出し側に配置された定着器は、ハロゲンランプ等のヒータを有する加熱ローラ２３、ヒータ駆動回路２４及びプレスローラ２５等で構成される。加熱ローラ２３の外周面が所定の温度となるよう、加熱ローラ２３のヒータはヒータ駆動回路２４により加熱される。加熱ローラ２３とプレスローラ２５は、転写ローラ２１による転写後の用紙を加熱圧接することにより、用紙上のトナー画像を定着させる。
【００２２】
この装置では、感光ドラム１３の周囲にメモリ除去ブラシ２６が配置されている。このメモリ除去ブラシ２６は、転写後にも感光ドラム１３の外周面に画像の輪郭に沿って残るトナー画像（メモリ画像）を除去するためのもので、メモリ除去ブラシ２６にはメモリ除去ブラシ電圧印加回路２７により所定のバイアス電圧が印加される。
【００２３】
更にこの装置には、用紙搬送路Ｐにおいて、感光ドラム１３及び転写ローラ２１の上流側に、用紙が給紙カセット（図示せず）から送られてきたかどうかを検出するセンサとしてＰＳＳ（Ｐａｐｅｒ  Ｓｕｐｐｌｙ  Ｓｅｎｓｏｒ  ）３０が配置されている。後記の動作でも説明するように、ＰＳＳ３０は、用紙が給紙カセットから送られてくるとＯＮになる。
【００２４】
給紙側においては、ピックアップ部材としての給紙ローラ（一対のピックアップローラ）４０とメインモータ４１がクラッチ４２を介して連結され、給紙カセットから用紙を取り出すときは、クラッチ４２により給紙ローラ４０がメインモータ４１に接続され、給紙ローラ４０が回転することで、給紙カセットの用紙が１枚ずつ取り出される。給紙ローラ４０には、用紙の抵抗値を検出する紙抵抗値検出回路（用紙抵抗値検出部）４３が接続され、検出された抵抗値データがプリンタコントローラ１２に取り込まれる。
【００２５】
一対のピックアップローラは、例えば図４（正面図）に示すように配置され、図５（断面図）に示すような形状である。ここでの一対のピックアップローラ５１，５１′は半月状のもので、間隔を置いて回転軸５０に取付けられている。ピックアップローラ５１（５１′も同様）は、中心部が絶縁性のハブ５１ｂであり、このハブ５１ｂが導電接触部としての導電性ゴム５１ａで被覆された２層構造である。回転軸５０における各ピックアップローラ５１，５１′の外側部分には、それぞれスリップリング５２，５２′が取付けられ、スリップリング５２，５２′からは端子５３，５３′が延び、導電性ゴム５１ａ，５１′ａに接触している。更に、スリップリング５２，５２′は電源５５に接続され、両ローラ５１，５１′に電圧が印加される。
【００２６】
従って、ピックアップローラ５１，５１′が用紙６０を１枚ずつピックアップするとき、導電性ゴム５１ａ，５１′ａが用紙６０に接触し、両ローラ５１，５１′間に流れる電流が検知され、その電流に基づいて用紙６０の抵抗値が紙抵抗値検出回路４３により検出される。
【００２７】
なお、図４に示す用紙の抵抗値測定形態では、各ピックアップローラ５１，５１′にそれぞれ導電性ゴム５１ａ，５１′ａが設けられているが、それ以外にも例えば図６に示すようにしてもよい。図６では、一方のピックアップローラ５４′の絶縁性のハブ５４′ｂに２つの導電性ゴム５４′ａ，５４″ａが設けられており、他方のピックアップローラ５４は、ハブ５４ｂに通常の絶縁性ゴム５４ａが設けられている。そして、導電性ゴム５４′ａ，５４″ａに端子５３，５３′を介してスリップリング５２，５２′が接続されている。但し、本実施形態では、ピックアップローラは一対のもの（５４，５４′）として示しているが、図６に示すピックアップローラ５４′を１個だけ用いることも可能である。
【００２８】
この場合、導電性ゴム５４′ａ，５４″ａに電源５５により電圧が印加されると、ピックアップローラ５４′において、導電性ゴム５４′ａ，５４″ａ間に流れる電流が検知され、その電流値に基づいて用紙６０の抵抗値が検出される。
【００２９】
上記のように構成された画像形成装置において、プリント動作は周知であるが、概説すると、帯電ブラシ１４により感光ドラム１３が一様に帯電され、その感光ドラム１３にＬＥＤプリントヘッド１６により画像情報に対応する静電潜像が形成され、現像ローラ１８により感光ドラム１３上の静電潜像にトナーが吸着されて、感光ドラム１３上にトナー画像が形成される。そして、転写ローラ２１により感光ドラム１３上のトナー画像が用紙に転写される。転写後は、加熱ローラ２３とプレスローラ２５により用紙が加熱・加圧され、トナー画像が永久像として用紙に定着される。
【００３０】
この装置では、プリンタコントローラ１２が、紙抵抗値検出回路４３で検出された用紙の抵抗値と、電流検出部３５で検出された転写ローラ２１の電流値とに基づき、転写バイアス印加回路２２で印加する転写電圧を制御することが特徴である。
【００３１】
具体的には、図１１に試験電流値、転写バイアス、用紙抵抗値との関係を示すように、プリンタコントローラ１２は、試験電流値が大きいほど転写バイアスを小さくし、また用紙抵抗値が大きいほど転写バイアスを大きくするように制御する。詳細には、用紙にはＡ３，Ｂ４，Ａ４，Ｂ５等のサイズがあるので、各サイズの用紙毎に抵抗値大と抵抗値小のときの複数の二次曲線が示され、プリント時の試験電流値と用紙抵抗値の大小により最適な転写バイアスが決定される。例えば、図１１において、試験電流値がｘある場合、そのときの用紙の抵抗値が小であるときは、転写バイアスをｙ１  とし、同じ試験電流値ｘであっても、用紙の抵抗値が大であるときは、転写バイアスをｙ３  とする。また、抵抗値が大小の中間値ほどであるときは、転写バイアスをｙ２  とする。
【００３２】
次に、この装置のプリント動作の概略について、図７〜図９のフロー図及び図１０の動作シーケンス図を参照して説明する。
【００３３】
図７において、プリント動作に入ると、まずステップＳＴ１において、メインモータ４１をＯＮ、帯電バイアスＯＮ、現像バイアス（＋）ＯＮ、転写バイアス（−）ＯＮ、メモリ除去ブラシ２６をＯＮにする。
【００３４】
次のステップＳＴ２においては、タイマＴ１，Ｔ６がスタートし、ステップＳＴ３において、タイマＴ１がタイムアップしたかどうか判定し、まだの場合は待機する。ここで、現像バイアスを（＋）でＯＮしているのは、感光ドラム１３の外周面の未帯電部（電位が略０Ｖになっている部分）に残留しているトナーを効率的に現像部で回収するためである。また、転写バイアスを（−）でＯＮしているのは、転写ローラ２１の外周面に付着したトナーを感光ドラム１３の外周面に回収するためである。
【００３５】
タイマＴ１がタイムアップすると、ステップＳＴ４において、現像バイアス（−）に切り換え、転写バイアスＯＦＦにする。そして、ステップＳＴ５において、タイマＴ２がスタートし、ステップＳＴ６において、タイマＴ２がタイムアップしたかどうか判定し、まだの場合は待機する。タイマＴ２がタイムアップすると、ステップＳＴ７において、転写ローラ２１に試験電圧を印加し、ＦＢシーケンスを開始する。
【００３６】
次のステップＳＴ８においては、タイマＴ３がスタートし、ステップＳＴ９において、転写ローラ２１の電流値を電流検出部３５で検出し、電流値のサンプリングを行う。ステップＳＴ１０においては、タイマＴ３がタイムアップしたか判定し、まだの場合はステップＳＴ９に戻り、電流値のサンプリング、即ちＦＢシーケンスを続行する。
【００３７】
タイマＴ３がタイムアップすると、ステップＳＴ１１において、サンプリングした電流値をプリンタコントローラ１２に保持する。その後、ステップＳＴ１２において、転写バイアスをＯＦＦにする。そして、ステップＳＴ１３において、タイマＴ４がスタートし、ステップＳＴ１４において、タイマＴ４がタイムアップしたか判定し、タイムアップすると、ステップＳＴ１５において、転写バイアス（−）ＯＮにし、再び転写ローラ２１をクリーニングする。
【００３８】
続いて、図８のステップＳＴ１６において、タイマＴ５がスタートし、ステップＳＴ１７において、タイマＴ５がタイムアップしたか判定し、タイムアップすると、ステップＳＴ１８において、転写バイアスをＯＦＦにする。更に、ステップＳＴ１９において、タイマＴ６がタイムアップしたか判定し、タイムアップすると、ステップＳＴ２０において、定着器（加熱ローラ２３及びプレスローラ２５）の昇温が完了したか判定する。
【００３９】
定着器の昇温が完了すると、ステップＳＴ２１において、給紙クラッチ４２がＯＮになる。すると、給紙ローラ４０が回転し、給紙カセットの用紙に接触し、用紙を取り出す。ステップＳＴ２２においては、前記したとおり、給紙クラッチ４２のＯＮにより給紙ローラ４０の導電性ゴムが用紙に接触するので、紙抵抗値検出回路４３により用紙の抵抗値を測定し、得られた抵抗値をプリンタコントローラ１２に取り込む。
【００４０】
次いで、ステップＳＴ２３において、タイマＴ７がスタートする。ステップＳＴ２４においては、ＰＳＳ３０がＯＮになったかどうか判定し、ＰＳＳ３０がＯＦＦの場合は、ステップＳＴ２５において、タイマＴ７がタイムアップしたか判定する。タイマＴ７がタイムアップするまでにＰＳＳ３０がＯＦＦのままであった場合は、紙詰まり等により用紙が給紙カセットからＰＳＳ３０まで送られてこなかったことになるので、ステップＳＴ２６に移行する。ステップＳＴ２６においては、メインモータ４１、帯電バイアス、現像バイアス、転写バイアス、メモリ除去ブラシ２６、定着器を全てＯＦＦにし、ステップＳＴ２７において、ジャムの表示をし、当該プリント処理を終了する。
【００４１】
一方、ステップＳＴ２４において、ＰＳＳ３０がＯＮになった場合は、用紙が送られてきたことになるので、図９のステップＳＴ２８に移行する。ステップＳＴ２８においては、タイマＴ８，Ｔ９，Ｔ１０がスタートする。ステップＳＴ２９においては、タイマＴ８がタイムアップしたか判定し、タイムアップすると、ステップＳＴ３０において、感光ドラム１３への静電潜像の露光を開始する。次のステップＳＴ３１においては、タイマＴ９がタイムアップしたか判定し、タイムアップすると、ステップＳＴ３２において、転写ローラ２１にプレ転写バイアスを印加する。
【００４２】
次いで、ステップＳＴ３３において、タイマＴ１０がタイムアップしたか判定し、タイムアップすると、ステップＳＴ３４において、前記転写ローラ２１の電流値及び用紙の抵抗値に、プリンタコントローラ１２の転写バイアス決定テーブル１２ａを適用して転写バイアスを決定する。そして、ステップＳＴ３５において、決定された転写バイアス（＋）を転写ローラ２１に転写する。以降は、プリント処理が続行される。
【００４３】
このように、この画像形成装置では、プリント時において、転写ローラ２１の電流値を測定すると共に用紙の抵抗値を測定し、その電流値と抵抗値に対して、プリンタコントローラ１２の転写バイアス決定テーブル１２ａを参照し、電流値と抵抗値に適した転写電圧を決定しているので、より正確に転写電圧を調整できるだけでなく、転写効率を一層高めることができる。
【００４４】
なお、上記実施形態では、転写電圧を決定するのに、用紙の抵抗値の他に転写ローラ２１の電流値を用いているが、用紙の抵抗値のみを用いてもよい。また、転写ローラ２１の電流値に代えて、試験電流を印加したときの電圧値を用いてもよい。更に、転写電圧を決定するのに、プリンタコントローラ１２の転写バイアス決定テーブル１２ａを利用しているが、関数を用いて転写電圧を決定してもよい。
【００４５】
【発明の効果】
以上説明したように、この発明の請求項１記載の画像形成装置によれば、ピックアップ部材による用紙のピックアップ時にピックアップ部材に間隔を置いて設けた一対の導電接触部が用紙に接触するので、用紙自体の抵抗値を測定でき、転写電圧を正確に調整できる。
【００４６】
請求項２の構成とすれば、転写部材の抵抗値の変化も加味して転写電圧を設定できるので、転写効率を更に高めることができる。
【００４７】
請求項３の構成とすれば、ピックアップローラが用紙をピックアップするときに、導電性ゴムが必ず用紙のみに接触した状態で用紙の面積抵抗値が測定されるので、より正確に用紙の抵抗値を測定することができる。
【図面の簡単な説明】
【図１】実施形態に係る画像形成装置の全体の概略構成ブロック図（一部分）である。
【図２】実施形態に係る画像形成装置の全体の概略構成ブロック図（残部分）である。
【図３】実施形態に係る画像形成装置の全体の概略構成ブロック図（残部分）である。
【図４】同画像形成装置におけるピックアップ部材としてのピックアップローラによる用紙の抵抗値測定形態の一例を示す正面図である。
【図５】図４に示すピックアップローラの断面図である。
【図６】同画像形成装置におけるピックアップ部材としてのピックアップローラによる用紙の抵抗値測定形態の別例を示す正面図である。
【図７】同画像形成装置のプリント動作を示すフロー図である。
【図８】図７のフロー図に続くフロー図である。
【図９】図８のフロー図に続くフロー図である。
【図１０】同画像形成装置の動作シーケンス図である。
【図１１】同画像形成装置において、転写ローラより得られた試験電流値、転写ローラに印加する転写バイアス、用紙の抵抗値の関係を示すグラフである。
【符号の説明】
１２        プリンタコントローラ（制御部）
１２ａ      転写バイアス決定テーブル
１３        感光ドラム
１４        帯電ブラシ
１６        ＬＥＤプリントヘッド
１８        現像ローラ
２１        転写ローラ（転写部材）
２２        転写バイアス印加回路（転写電圧印加部）
２３        加熱ローラ
２５        プレスローラ
３５        電流検出部（転写部材抵抗検知部）
４０        給紙ローラ（ピックアップローラ、ピックアップ部材）
４３        紙抵抗値検出回路（用紙抵抗値検出部）
５１        ピックアップローラ（ピックアップ部材）
５１′      ピックアップローラ（ピックアップ部材）
５１ａ      導電性ゴム（導電接触部）
５１′ａ    導電性ゴム（導電接触部）
６０        用紙
【図１】
0003603816.tif 000002
【図２】
0003603816.tif 000003
【図３】
0003603816.tif 000004
【図４】
0003603816.tif 000005
【図５】
0003603816.tif 000006
【図６】
0003603816.tif 000007
【図７】
0003603816.tif 000008
【図８】
0003603816.tif 000009
【図９】
0003603816.tif 000010
【図１０】
0003603816.tif 000011
【図１１】
0003603816.tif 000012